(57)【要約】【課題】ダクト挿入時にダクトが屋外に向けて下り勾配を持つように容易に施工することができる換気装置を提供する。【解決手段】ダクトを接続する換気装置の樹脂製のダクト接続部２に、筒部４と、筒部４から外周方向へ突出する薄い円盤状のリップ５からなる弾力性のある材質で形成されるセッティングリング３を装着し、前記リップ５は前記セッティングリング３の軸方向に並列に複数個設けられ、ダクト接続部２の先端側のリップ５は下方向に偏心しており、ダクト接続部２の奥側のリップ５は上方向に偏心しているセッティングリング３を備えたことを特徴とする換気装置。【選択図】図１
2008267611.tif 000002
【特許請求の範囲】
【請求項１】
ダクトを接続する換気装置の樹脂製のダクト接続部に、筒部と、筒部から外周方向へ突出する薄い円盤状のリップからなり、弾力性のある材質で形成されるセッティングリングを装着し、前記リップは前記セッティングリングの軸方向に並列に複数個設けられ、ダクト接続部先端側のリップは下方向に偏心しており、ダクト接続部奥側のリップは上方向に偏心しているセッティングリングを備えたことを特徴とする換気装置。
【請求項２】
ダクト接続部に前記セッティングリングを一体成形して設けたことを特徴とする請求項１記載の換気装置。
【請求項３】
セッティングリングは、前記ダクト接続部先端側のリップのさらに先端側に表面を波形状に形成した密着部を設けたことを特徴とする請求項１または２記載の換気装置。
【請求項４】
リップは、先端を根元よりも薄く形成したことを特徴とする請求項１〜３のいずれかに記載の換気装置。
【請求項５】
リップは、ダクト接続部の奥側に向けて傾斜させて設けたことを特徴とする請求項１〜４のいずれかに記載の換気装置。
【請求項６】
リップは、ダクト接続部先端側のリップの外形よりダクト接続部奥側のリップの外形を大きくして形成したことを特徴とする請求項１〜５のいずれかに記載の換気装置。
【請求項７】
セッティングリングは、ショアー硬度４０度から６５度の弾性材料で形成されることを特徴とする請求項１〜６のいずれかに記載の換気装置。
【発明の詳細な説明】
【技術分野】
【０００１】
本発明は屋外と本体をダクトを用いて接続し、結露水を屋外側へ排出することが必要となる換気装置に関する。
【背景技術】
【０００２】
従来の屋外と本体をダクトを用いて接続される換気装置は、ダクト接続部にセッティングリングを備えた換気装置が知られている（例えば、特許文献１参照）。
【０００３】
以下にその換気装置について図７を参照しながら説明する。
【０００４】
図に示すように、換気口１１７に設けられるパイプ１１６に挿入される換気装置の筒部１０８に装着され、パイプ１１６の内面を圧接する弾力性のあるセッティングリング１０６は、換気装置の筒部１０８が挿入される略中央の開口１０１と、この開口１０１の周縁に形成され筒部１０８に装着される基部１０２と、基部１０２から外方へ膨出するリップ１０６ａとを備え、リップ１０６ａには他部より大きく膨出するつば部１０４を形成する構成としたものである。
【特許文献１】特開２００４−１２５２３９号公報
【発明の開示】
【発明が解決しようとする課題】
【０００５】
このような従来の換気装置では、ダクトを接続する換気装置は結露水滴下防止のためダクトを屋外に向けて下り勾配をつけて施工することが必要とされるが、多様な内径のダクトを挿入できるように、ダクト接続部の外形はダクトの内径より小さく形成する必要があるので、施工のバラツキにより、下り勾配が設けられないことがあるという課題がある。
【０００６】
本発明は、このような従来の課題を解決するものであり、ダクト挿入時にダクトが屋外に向けて下り勾配を持つように容易に施工することができる換気装置換気装置を提供することを目的とする。
【課題を解決するための手段】
【０００７】
本発明の換気装置は、上記目的を達成するために、ダクトを接続する換気装置の樹脂製のダクト接続部に、筒部と、筒部から外周方向へ突出する薄い円盤状のリップからなり、弾力性のある材質で形成されるセッティングリングを装着し、前記リップは前記セッティングリングの軸方向に並列に複数個設けられ、ダクト接続部先端側のリップは下方向に偏心しており、ダクト接続部奥側のリップは上方向に偏心しているセッティングリングを備えたことを特徴とするものである。
【０００８】
また、他の手段は、ダクト接続部に前記セッティングリングを一体成形して設けたことを特徴とするものである。
【０００９】
また、他の手段は、セッティングリングの前記ダクト接続部先端側のリップのさらに先端側に、表面を波形状に形成した密着部を設けたことを特徴とするものである。
【００１０】
また、他の手段は、リップの先端は、根元よりも薄く形成したことを特徴とするものである。
【００１１】
また、他の手段は、リップは、ダクト接続部の奥側に向けて傾斜させて設けたことを特徴とするものである。
【００１２】
また、他の手段は、リップは、ダクト接続部先端側のリップの外形よりダクト接続部奥側のリップの外形を大きくして形成したことを特徴とするものである。
【００１３】
また、他の手段は、セッティングリングは、ショアー硬度４０度から６５度の弾性材料で形成されることを特徴とするものである。
【発明の効果】
【００１４】
本発明によれば、ダクトを接続する換気装置の樹脂製のダクト接続部に、筒部と、筒部から外周方向へ突出する薄い円盤状のリップからなり、弾力性のある材質で形成されるセッティングリングを装着し、前記リップは前記セッティングリングの軸方向に並列に複数個設けられ、ダクト接続部先端側のリップは下方向に偏心しており、ダクト接続部奥側のリップは上方向に偏心しているセッティングリングを備えたことを特徴とすることにより、ダクトは屋外に向かって容易に下り勾配を確保することができるという効果のある換気装置を提供することができる。
【００１５】
また、ダクト接続部に前記セッティングリングを一体成形して設けたことことにより、ダクトを雑に挿入されてもダクト内面と、リップを確実に密着させることができ、容易に下り勾配を確保することができるという効果のある換気装置を提供することができる。
【００１６】
また、セッティングリングの前記ダクト接続部先端側のリップのさらに先端側に、表面を波形状に形成した密着部を設けたことにより、ダクト内面と密着部の摩擦力を少なくすることができ、ダクト挿入力を軽くすることができるので、施工性が向上し、密着部を確実に密着させて下り勾配を確保することができるという効果のある換気装置を提供することができる。
【００１７】
また、リップの先端は、根元よりも薄く形成したことにより、外周部はダクト内面に確実に密着し、気密性が向上し、リップは適度な保持力を有するのでまた施工性が向上するという効果のある換気装置を提供することができる。
【００１８】
また、リップは、ダクト接続部の奥側に向けて傾斜させて設けたことにより、ダクトを挿入するときに軽い挿入力で挿入できるので、下り勾配の施工性が向上するとともにダクトが引っ張られても、リップがダクト内面に引っかかり、ダクトが抜けるのを防止することができるという効果のある換気装置を提供することができる。
【００１９】
また、リップは、ダクト接続部先端側のリップの外形よりダクト接続部奥側のリップの外形を大きくして形成したことにより、内径の異なるダクトでも密着性を確保して容易に下り勾配を確保することができるという効果のある換気装置を提供することができる。
【００２０】
また、セッティングリングは、ショアー硬度４０度から６５度の弾性材料で形成されることにより、ダクトを挿入するときに軽い挿入力で挿入でき、施工性が向上するとともに挿入状態でリップがダクト内面に密着し下り勾配を確保することができるという効果のある換気装置を提供することができる。
【発明を実施するための最良の形態】
【００２１】
本発明の請求項１記載の換気装置は、ダクトを接続する換気装置の樹脂製のダクト接続部に、筒部と、筒部から外周方向へ突出する薄い円盤状のリップからなり、弾力性のある材質で形成されるセッティングリングを装着し、前記リップは前記セッティングリングの軸方向に並列に複数個設けられ、ダクト接続部先端側のリップは下方向に偏心しており、ダクト接続部奥側のリップは上方向に偏心しているセッティングリングを備えたことを特徴とする換気装置としたものであり、ダクト接続部に挿入されたダクトの内面は複数のリップより外周方向への圧力を受けて密着し、ダクト接続部先端側のリップはダクトに下方向への圧力を与え、ダクト接続部奥側のリップはダクトに上方向への圧力を与えるという作用を有する。
【００２２】
また、ダクト接続部に前記セッティングリングを一体成形して設けたことを特徴とする換気装置としたものであり、ダクトを挿入したときにセッティングリングが筒部ごと押し込まれること無く、ダクト接続部にダクト挿入するという作用を有する。
【００２３】
また、セッティングリングの前記ダクト接続部先端側のリップのさらに先端側に、表面を波形状に形成した密着部を設けたことを特徴とする換気装置としたものであり、ダクト内径が比較的小さいフレキダクト等のダクト内面と密着部は最小限の面積で密着させて接続することができるという作用を有する。
【００２４】
また、リップの先端は、根元よりも薄く形成したことを特徴とする換気装置としたものであり、リップ外周部は変形しやすく、根元部は変形しにくいという作用を有する。
【００２５】
また、リップは、ダクト接続部の奥側に向けて傾斜させて設けたことを特徴とする換気装置としたものであり、ダクトを挿入するときのリップへのひっかかりを少なくして挿入することができ、また、ダクトが引っ張られるときにはダクト内面に大きく引っかかるという作用を有する。
【００２６】
また、リップは、ダクト接続部先端側のリップの外形よりダクト接続部奥側のリップの外形を大きくして形成したことを特徴とする換気装置としたものであり、ＶＰ管等のダクト内径が比較的小さなダクトはダクト接続部先端側の複数のリップで保持され、ＶＵ管等のダクト内径が比較的大きなダクトはダクト接続部奥側の複数のリップで保持されるという作用を有する。
【００２７】
また、セッティングリングは、ショアー硬度４０度から６５度の弾性材料で形成されることを特徴とする換気装置としたものであり、ダクトを挿入するときにリップが容易に変形し、ダクト挿入状態でリップがダクト内面を圧接してダクトを保持するという作用を有する。
【００２８】
以下、本発明の実施の形態について、図面を参照しながら説明する。
【００２９】
（実施の形態１）
図１から図５に示すように、換気装置の本体１にダクトを接続する樹脂製のダクト接続部２を備え、筒部４と、筒部４から外周方向へ突出する薄い円盤状のリップ５からなり、弾力性のある材質としてショアー硬度４０度から６５度の弾性材料で形成されるセッティングリング３をダクト接続部２に異材質一体成形して設け、リップ５はセッティングリング３の軸方向に並列に複数個設けられ、リップ５の先端は根元よりも薄く形成しており、ダクト接続部２の先端側のリップ５は下方向に偏心しており、ダクト接続部２の奥側のリップ５は上方向に偏心している。
【００３０】
また、ダクト接続部２の先端側のリップ５の外径より、奥側のリップ５の外径を徐々に大きくして形成し、ダクト接続部２の先端側のリップ５のさらに先端側に、表面を波形状に形成した密着部６を設けている。
【００３１】
上記構成により、ダクト内径が相対的に大きいＶＵ管７をダクト接続部２に挿入するときには、ＶＵ管７の内面は複数のリップ５より外周方向への圧力を受けて全周に渡り密着し、ダクト接続部２の先端側のリップ５はＶＵ管７に下方向への圧力を与え、ダクト接続部２の奥側のリップ５はＶＵ管７に上方向への圧力を与えて、ＶＵ管７を保持することとなる。
【００３２】
また、ダクト内径が相対的に小さいＶＰ管８をダクト接続部２に挿入するときには、ダクト接続部２の先端側のリップ５の外径より、奥側のリップ５の外径を徐々に大きくして形成していることにより、ＶＰ管８の内面はダクト接続部２の先端側に位置する複数のリップ５がＶＵ管７挿入時より大きく変形し、外周方向への圧力を受けて全周に渡り密着し、ダクト接続部２の先端側のリップ５はＶＰ管８に下方向への圧力を与え、ダクト接続部２の奥側のリップ５はＶＰ管８に上方向への圧力を与えて、ＶＰ管８を保持することとなる。
【００３３】
また、ダクト内径がさらに小さいフレキダクト９をダクト接続部２に挿入するときには、フレキダクト９の内面はダクト接続部２の先端側に位置する密着部６により外周方向への圧力を受けて全周に渡り密着し、フレキダクト９を保持することとなる。
【００３４】
このように、本発明の実施の形態１の換気装置によれば、ダクト内径が相対的に大きいＶＵ管７をダクト接続部２に挿入するときには、ＶＵ管７をダクト接続部２に挿入することにより、ＶＵ管７は屋外に向かって容易に下り勾配を確保することができ、ダクト接続部２における気密を確保することができ、施工性が向上することとなる。
【００３５】
また、ダクト内径が相対的に小さいＶＰ管８をダクト接続部２に挿入するときには、外径の小さいダクト接続部２の先端側に位置する複数のリップ５がＶＵ管７挿入時より大きく変形することにより、軽い力でＶＰ管８を挿入することができ、ＶＰ管８は屋外に向かって容易に下り勾配を確保することができ、ＶＰ管８は屋外に向かって容易に下り勾配を確保することができ、ダクト接続部２における気密を確保することができ、施工性が向上することとなる。
【００３６】
また、ダクト内径がさらに小さいフレキダクト９をダクト接続部２に挿入するときには、フレキダクト９の内面はダクト接続部２の先端側に位置する密着部６により外周方向への圧力を受けて全周に渡り密着することにより、軽い力でフレキダクト９を挿入することができ、ダクト接続部２における気密を確保することができ、施工性が向上することとなる。
【００３７】
また、リップ５の先端は根元よりも薄く形成していることにより、軽い力でＶＵ管７やＶＰ管８などのダクトを挿入することができ、強い保持力を確保することができ、ダクト接続部２における気密を確保することができ、施工性が向上することとなる。
【００３８】
また、セッティングリング３は弾力性のあるショアー硬度４０度から６５度の弾性材料で異材質一体成形で形成していることにより、リップ５はＶＵ管７やＶＰ管８などのダクト挿入時には変形しやすく、保持時には強い圧力でダクト内面に密着するため、軽い力でダクトを挿入することができ、ダクト接続部２における気密を確保することができ、施工性が向上することとなる。
【００３９】
また、内径の小さいＶＰ管８や、フレキダクト９等を雑に挿入されても、ダクト接続部２とセッティングリング３が一体となっているので、セッティングリングの外れやずれが発生しないため、施工性が向上することとなる。
【００４０】
（実施の形態２）
図６に示すように、リップ５がダクト接続部２の奥側に向けて傾斜して設けている。
【００４１】
上記構成により、ＶＵ管７やＶＰ管８などのダクト挿入時にはリップ５へのひっかかりを少なくして挿入することができ、また、ダクトが引っ張られるときにはダクト内面に大きく引っかかる。
【００４２】
このように本発明の実施の形態２の換気装置によれば、ＶＵ管７やＶＰ管８などのダクトを挿入するときに軽い力で挿入できるので、下り勾配の施工性が向上するとともにダクトが引っ張られても、リップがダクト内面に引っかかり、ダクトが抜けるのを防止することができる。
【産業上の利用可能性】
【００４３】
屋外と本体をダクトを用いて接続し、結露水を屋外側へ排出することが必要となる換気装置に有用である。
【図面の簡単な説明】
【００４４】
【図１】本発明の実施の形態１の換気装置を示す図
【図２】同換気装置のダクト接続部の断面図
【図３】同換気装置のダクト接続部にＶＵ管を挿入した状態を示す断面図
【図４】同換気装置のダクト接続部にＶＰ管を挿入した状態を示す断面図
【図５】同換気装置のダクト接続部にフレキダクトを挿入した状態を示す断面図
【図６】本発明の実施の形態２の換気装置のダクト接続部の断面図
【図７】従来の換気装置のダクト接続部を示す図
【符号の説明】
【００４５】
１・・本体
２・・ダクト接続部
３・・セッティングリング
４・・筒部
５・・リップ
６・・密着部
７・・ＶＵ管
８・・ＶＰ管
９・・フレキダクト
【図１】
2008267611.tif 000003
【図２】
2008267611.tif 000004
【図３】
2008267611.tif 000005
【図４】
2008267611.tif 000006
【図５】
2008267611.tif 000007
【図６】
2008267611.tif 000008
【図７】
2008267611.tif 000009